(57)【要約】  真空表示部が陥没した状態でもバルブ胴体部の縁部を持ち上げる力を相対的に少なく作用させるため、従来のものに比べて密閉力が優れて、真空度が低い時や高い時もリング形態が潰れないようにして真空状態がより長く維持できるチェックバルブが開示される。前記チェックバルブは弾性材質からなり、底面に縁部より高い空いた空間を提供する凹部を備え、上下に通孔が形成されているバルブ胴体部、通孔の上端から下方に離隔した位置の通孔が内壁面に沿ってバルブ胴体部に一体に連結され、バルブ胴体部の厚さより薄く、そして上方に凸に形成されて蓋とバルブ胴体部との間の空間に負圧がかかれば、蓋に向けて陥没する真空表示部及びバルブ結合部に結合されてバルブ胴体部をバルブ結合部に固定するための固定部を含む構成を有する。
2016513050.tif 000002
【特許請求の範囲】
【請求項１】
通気孔とバルブ結合部が形成されている蓋に結合されて前記通気孔を通じての空気の出入を統制するためのチェックバルブにおいて、
弾性材質からなり、底面に縁部より高い空いた空間を提供する凹部を備え、上下に通孔が形成されているバルブ胴体部と、
前記通孔の上端から下方に離隔した位置の前記通孔の内壁面に沿って前記バルブ胴体部に一体に連結され、前記バルブ胴体部の厚さより薄く、そして上方に凸に形成されて前記蓋と前記バルブ胴体部との間の空間に負圧がかかれば前記蓋に向けて陥没する真空表示部と、
前記バルブ結合部に結合されて前記バルブ胴体部を前記バルブ結合部に固定するための固定部と、
を含むことを特徴とする、チェックバルブ。
【請求項２】
前記真空表示部は、前記通孔の下端から上方に離隔した位置の前記通孔の内壁面に沿って前記バルブ胴体部に一体に連結されていることを特徴とする、請求項１に記載のチェックバルブ。
【請求項３】
前記真空表示部の断面の長さは、前記真空表示部の断面と対向する前記真空表示部の下方の表面の表面長さ以上であり、前記表面長さは前記真空表示部の断面と対向する前記蓋の表面の長さ、前記真空表示部の断面の一端から前記一端下方の前記蓋の表面までの長さ、及び前記真空表示部の断面の他端から前記他端下方の前記蓋の表面までの長さを合せた長さであることを特徴とする、請求項１に記載のチェックバルブ。
【請求項４】
前記バルブ胴体部の縁部上面に沿って連続して形成されてリング形態をしており、上方に突出した縁部突起を備えることを特徴とする、請求項１に記載のチェックバルブ。
【請求項５】
前記バルブ胴体部の一側縁部から上方に突出するように設置され、人が手で握って前記バルブ胴体部の一側縁部を持ち上げて真空状態を解除できるようにするための取手が設置されていることを特徴とする、請求項１に記載のチェックバルブ。
【請求項６】
前記取手は四角柱形状をしており、前記取手の上端には外側に突出した突出段が形成されており、前記取手の外側面は前記バルブ胴体部の縁部から上方に行くほど内側に傾斜して形成されていることを特徴とする、請求項５に記載のチェックバルブ。
【請求項７】
前記固定部を通じて前記蓋に装着された状態で前記バルブ胴体部の縁部は前記蓋の表面により上方に押圧されることを特徴とする、請求項１から６のうち、いずれか一項に記載のチェックバルブ。
【請求項８】
内容物が盛られる内部空間が設けられた容器本体の入口を開閉するための真空容器蓋において、
底面にパッキングを備えて前記容器本体の前記入口を密閉することができ、通気孔とバルブ結合部が形成されている蓋胴体と、
前記バルブ結合部に結合されて前記通気孔を通じての空気の出入を統制するためのチェックバルブとを備えて構成され、
前記チェックバルブは、
弾性材質からなり、底面に縁部より高い空いた空間を提供する凹部を備え、上下に通孔が形成されているバルブ胴体部と、
前記通孔の上端から下方に離隔した位置の前記通孔の内壁面に沿って前記バルブ胴体部に一体に連結され、前記バルブ胴体部の厚さより薄く、そして上方に凸に形成されて前記蓋と前記バルブ胴体部との間の空間に負圧がかかれば前記蓋に向けて陥没する真空表示部と、
前記バルブ結合部に結合されて前記バルブ胴体部を前記バルブ結合部に固定するための固定部と、
を含んで構成された請求項１から６のうち、いずれか一項のチェックバルブであることを特徴とする、真空容器蓋。
【請求項９】
前記チェックバルブが前記固定部を通じて前記蓋に装着された状態で前記容器本体に負圧がかからなくても前記バルブ胴体部の縁部は前記蓋の表面により上方に押圧されていることを特徴とする、請求項８に記載の真空容器蓋。
【請求項１０】
前記チェックバルブは、前記バルブ結合部を通過して前記蓋の底面に係止される前記固定部の下側部に形成された係止段により前記バルブ胴体部の縁部が前記蓋の上面に押圧されていることを特徴とする、請求項８に記載の真空容器蓋。
【請求項１１】
前記バルブ胴体部の縁部が前記蓋の上面に強く押圧されているので、前記蓋を容器本体に装着して手で押さえる時、前記容器本体内部の空気が外部に抜けながら空気排出効果音を出すことができるようになったことを特徴とする、請求項９に記載の真空容器蓋。
【発明の詳細な説明】
【技術分野】
【０００１】
本発明はチェックバルブ及びこれを用いた蓋の改善に関し、特に真空容器に適合するように使用できるチェックバルブ及びこれを用いた真空容器用蓋の改善に関する。
【背景技術】
【０００２】
一般に、湿気がある食物は大気圧下の空気中で比較的変質され易い。通常の場合、食物は一般食品容器に盛って冷蔵庫に保管する。しかしながら、食物を一般食品容器に盛って冷蔵庫に保管するだけでは食物の長期間保管が困難である。
【０００３】
食物をより長く保管できるようにするために、蓋にチェックバルブを設置し、容器内部の空気を抜いて容器内部を大気圧以下に真空化させて食物を保管できるようにした多用途真空容器蓋が開発されたことがある。
【０００４】
図１は先出願発明に開示されたチェックバルブの一例を示す斜視図であり、図２は図１のチェックバルブが蓋に設置された状態の断面図であり、図３は図２のチェックバルブの下部に負圧がかかった状態を示す図である。
【０００５】
図１から図３には、従来のチェックバルブ１０が図示されている。このチェックバルブ１０は、上面に取手１１が設置されたチェックバルブ胴体１２を備える。このチェックバルブ胴体１２の一側には真空表示部１３が設置されている。この真空表示部１３は、チェックバルブ１０の下部に負圧がかかる場合、図３に示すように、下方に陥没してユーザに真空がかかったことを知らせるようにする役割をする。チェックバルブ胴体１２の底面中央部には下方に突出して蓋２０に形成されたバルブ装着孔２２に固定するための固定突起１４が形成されている。
【０００６】
図１から図３に示すような従来のチェックバルブ１０に設置された真空表示部１３は、チェックバルブ胴体１２に上方に突出するように形成したシリンダ形態の円筒部１５上端に周辺のチェックバルブ胴体１２より薄い上方に凸となるように形成されている。
【０００７】
図１から図３に示すような従来のチェックバルブ１０を用いた真空容器では、真空状態が速く解除される短所があった。
【発明の概要】
【発明が解決しようとする課題】
【０００８】
本発明者は、図１から図３に示すような従来のチェックバルブ１０が有する短所の原因を探すために、長期間の観察及び研究した結果、図１から図３に示すような従来のチェックバルブ１０で真空状態が速く解除されることは次のような原因によることを見つけた。
【０００９】
図１から図３に示すような従来のチェックバルブ１０が蓋２０に設置された状態で、チェックバルブ１０の下部に負圧がかかって、図３に示すように、真空表示部１３が下方に陥没する場合、真空表示部１３は円筒部１５の上端を陥没する方向に引っ張るようになり、このため、円筒部１５の上端が内側に引っ張られる。これによって、円筒部１５の外側の断面壁はその下端を中心に矢印方向に回転しながら円筒部１５の外側のチェックバルブ１０の縁部を上に持ち上げる力を作用させる。これによって、従来のチェックバルブ１０は密閉力が落ちざるを得ない。
【００１０】
本発明の目的は、従来のものに比べて密閉力が優れる真空容器用チェックバルブを提供することにある。
【００１１】
本発明の他の目的は、真空表示部が陥没してもチェックバルブの縁部を上に持ち上げる力を相対的に少なく作用させるチェックバルブを提供することにある。
【００１２】
本発明の更に他の目的は、密閉力が優れる真空容器用蓋を提供することにある。
【課題を解決するための手段】
【００１３】
本発明に従うチェックバルブは、通気孔とバルブ結合部が形成されている蓋に結合されて前記通気孔を通じての空気の出入を統制するためのチェックバルブにおいて、弾性材質からなり、底面に縁部より高い空いた空間を提供する凹部を備え、上下に通孔が形成されているバルブ胴体部；前記通孔の上端から下方に離隔した位置の前記通孔の内壁面に沿って前記バルブ胴体部に一体に連結され、前記バルブ胴体部の厚さより薄く、そして上方に凸に形成されて前記蓋と前記バルブ胴体部との間の空間に負圧がかかれば、前記蓋に向けて陥没する真空表示部；及び前記バルブ結合部に結合されて、前記バルブ胴体部を前記バルブ結合部に固定するための固定部を含む構成を有する。
【００１４】
前記真空表示部は、前記通孔の下端から上方に離隔した位置の前記通孔の内壁面に沿って前記バルブ胴体部に一体に連結されていることが好ましい。
【００１５】
前記真空表示部の断面の長さは前記真空表示部の断面と対向する前記真空表示部の下方の表面の表面長さ以上に形成されており、前記表面長さは前記真空表示部の断面と対向する前記蓋の表面の長さ、前記真空表示部の断面の一端から前記一端下方の前記蓋の表面までの長さ、及び前記真空表示部の断面の他端から前記他端下方の前記蓋の表面までの長さを合せた長さであることを特徴とする。
【００１６】
前記バルブ胴体部の縁部上面に沿って連続して形成されてリング形態をしており、上方に突出した縁部突起を備えることが好ましい。
【００１７】
前記バルブ胴体部の一側縁部から上方に突出するように設置され、人が手で握って前記バルブ胴体部の一側縁部を持ち上げて真空状態を解除できるようにするための取手が設置されているものがよい。
【００１８】
前記取手は、四角柱形状をしており、前記取手の上端には外側に突出した突出段が形成されており、前記取手の外側面は前記バルブ胴体部の縁部から上方に行くほど内側に傾斜するように形成されていることが好ましい。
【００１９】
前記固定部を通じて前記蓋に装着された状態で前記バルブ胴体部の縁部は前記蓋の表面により上方に押圧されることが好ましい。
【００２０】
本発明に従う蓋は、内容物が盛られる内部空間が設けられた容器本体の入口を開閉するための真空容器蓋において、底面にパッキングを備えて前記容器本体の前記入口を密閉することができ、通気孔とバルブ結合部が形成されている蓋胴体；及び前記バルブ結合部に結合されて前記通気孔を通じての空気の出入を統制するためのチェックバルブを備えて構成され、前記チェックバルブは、弾性材質からなり、底面に縁部より高い空いた空間を提供する凹部を備え、上下に通孔が形成されているバルブ胴体部；前記通孔の上端から下方に離隔した位置の前記通孔の内壁面に沿って前記バルブ胴体部に一体に連結され、前記バルブ胴体部の厚さより薄く、そして上方に凸に形成されて前記蓋と前記バルブ胴体部との間の空間に負圧がかかれば前記蓋に向けて陥没する真空表示部；及び前記バルブ結合部に結合されて前記バルブ胴体部を前記バルブ結合部に固定するための固定部を含んで構成された本発明に従うチェックバルブであることを特徴とする。
【００２１】
この場合にも、前記チェックバルブが前記固定部を通じて前記蓋に装着された状態で前記容器本体に負圧がかからなくても前記バルブ胴体部の縁部は前記蓋の表面により上方に押圧されていることが好ましい。
【００２２】
即ち、前記チェックバルブは前記バルブ結合部を通過して前記蓋の底面に係止される前記固定部の下側部に形成された係止段により前記バルブ胴体部の縁部が前記蓋の上面に押圧されていることがよい。
【００２３】
前記バルブ胴体部の縁部が前記蓋の上面に強く押圧されているので、前記蓋を容器本体に装着して手で押さえる時、前記容器本体の内部の空気が外部に抜けながら空気排出効果音を出すことができるようになったものがより好ましい。
【発明の効果】
【００２４】
本発明に従うチェックバルブは、真空表示部がバルブ胴体部に形成された通孔の内壁面に設置されているので、真空表示部が陥没した状態でもバルブ胴体部の縁部を持ち上げる力を相対的に少なく作用させるので、従来のものに比べて密閉力が優れる。
【００２５】
また、本発明に従うチェックバルブはバルブ胴体部の縁部の上面に沿ってリング形態の突起が形成されているので、真空度が低い時や高い時やリング形態が潰れないようにして真空状態をより長く維持できるようにする。
【図面の簡単な説明】
【００２６】
【図１】先出願発明に開示されたチェックバルブの一例を示す斜視図である。
【図２】図１のチェックバルブが蓋に設置された状態の断面図である。
【図３】図２のチェックバルブの下部に負圧がかかった状態を示す図である。
【図４】本発明に従うチェックバルブの斜視図である。
【図５】図４に示すチェックバルブの底面斜視図である。
【図６】図４のＩ−Ｉに従う断面図である。
【図７】本発明に従うチェックバルブが蓋に装着された状態を示す真空容器の断面図である。
【図８】パッキングの弾性力により弱い真空がかかった状態の断面図である。
【図９】真空容器の蓋にポンプを装着して空気を強制的に排出する状態を示す断面図である。
【図１０】本発明に従うチェックバルブの真空表示部が下方に完全に陥没した状態を説明するための真空容器の断面図である。
【図１１】真空表示部がバルブ胴体の上面に設置された状態で下方に陥没した状態の例を示すための断面図である。
【発明を実施するための形態】
【００２７】
以下、添付した図面を参照して本発明の好ましい実施形態を詳細に説明する。
【００２８】
図４は本発明に従うチェックバルブの斜視図であり、図５は図４に示すチェックバルブの底面斜視図であり、図６は図４のＩ−Ｉに従う断面図であり、図７は本発明に従うチェックバルブが蓋に装着された状態を示す真空容器の断面図であり、図８はパッキングの弾性力により弱い真空がかかった状態の断面図である。
【００２９】
図７に示すように、真空容器１００は、容器本体１１０、及び容器本体１１０の開口を密閉するための蓋１２０を備えている。蓋１２０の中央部には下方に凹な溝で形成されたバルブ装着部１２１が形成されており、このバルブ装着部１２１の中央部に通孔形態のバルブ結合部１２２が形成されており、バルブ結合部１２２の横に通気孔１２３が形成されている。この通気孔１２３は場合によって固定部１３６が結合されるバルブ結合部１２２に共に形成できる。このような蓋１２０の底面には容器本体１１０の上端縁部と接触して容器本体１１０の内部を密閉するためのパッキング１２５が装着されている。
【００３０】
そして、蓋１２０には左右両側にクランプ１２６がヒンジ部Ｈを中心に回動可能に設置されている。クランプ１２６には掛止状態で内側に突出して容器本体１１０の外側に突出した段部に係止される第１係止突起１２７と、蓋１２０自体に係止される第２係止突起１２８が前後に間隔を置いて形成されている。第１係止突起１２７は、真空容器１００の内部の真空が解除されて、図７に示すような状態でも蓋１２０が外れないようにするためのものであり、第２係止突起１２８は真空容器１００の内部に負圧がかかって、図８から図１０に示すように、蓋１２０が下方に降りて、第１係止突起１２７の係止が解除された場合にもクランプ１２６が揺れず、蓋１２０自体に固定された状態が維持できるようにするためのものである。
【００３１】
前記のような蓋１２０を容器本体１１０から離脱させようとする場合、まずクランプ１２６を図７で矢印で示すように、外側に回動させて第１係止突起１２７が容器本体１１０に係止された状態を解除しなければならない。次に、取手１３７の突出段１３８を上に持ち上げて真空容器１００の内部の真空を完全に解除すれば、蓋１２０を容器本体１１０から容易に分離することができる。
【００３２】
図４から図７に示すように、本発明に従うチェックバルブ１３０は、通気孔１２３とバルブ結合部１２２が形成されている真空容器１００の蓋１２０に結合されて通気孔１２３を通じての空気の出入を統制することに適合するように使用できる。
【００３３】
本発明に従うチェックバルブ１３０は、バルブ胴体部１３１を備える。このバルブ胴体部１３１は、好ましくはシリコンゴムなどの弾性材質のゴムからなる。このバルブ胴体部１３１の底面には縁部より高い空いた空間を提供する凹部１３２が形成されている。
【００３４】
前記のようなバルブ胴体部１３１には上下に通孔１３３が形成されており、この通孔１３３の内壁面１３４に沿って一体に連結された状態で真空表示部１３５が設置されて通孔１３３を塞いでいる。真空表示部１３５が連結された部位は通孔１３３の上端から下方に離隔している。これは、従来のチェックバルブと差別される本発明の大きい特徴のうちの１つである。これによって、本発明に従うチェックバルブ１３０で真空表示部１３５はバルブ胴体部１３１の上側表面より下方に連結された状態を維持する。
【００３５】
上記のように、真空表示部１３５がバルブ胴体部１３１の上側表面より下方に連結された状態を維持するようにすることは、チェックバルブ１３０の下方にかかる負圧により真空表示部１３５が下方に陥没してもバルブ胴体部１３１の上端が内側に引っ張られてバルブ胴体部１３１の縁部が浮き上がることを減少させて、従来のチェックバルブより密閉力をよくするためのものである。
【００３６】
この場合、真空表示部１３５が連結された部位は通孔１３３の上端から下方に多く離隔するほどよいが、あまり多く離隔すれば、真空表示部１３５が陥没する空間が足りないことがあり、この場合、真空表示部１３５の真空表示機能が低下する短所が生じる。
【００３７】
即ち、本発明において、真空表示部１３５は通孔１３３の内壁面１３４の下端に沿って一体に連結されていても良いが、通孔１３３の下端でも上方に離隔した位置で通孔１３３の内壁面１３４に沿ってバルブ胴体部１３１に一体に連結されていることが好ましい。
【００３８】
前記のような真空表示部１３５は、蓋１２０とバルブ胴体部１３１との間の空間に負圧がかかれば、蓋１２０に向けて陥没して真空容器１００に負圧がかかったことを示すように、バルブ胴体部１３１の厚さより薄く、且つ上方に凸に形成されている。このような真空表示部１３５をなす部分の材料の厚さは真空表示部１３５の大きさなどによって差がありえるが、一般食物を盛るための真空容器では、０．２−０．３ｍｍ位が適当である。
【００３９】
真空表示部１３５は、一定範囲内では真空容器１００の内部にかかる負圧の大きさによって下方に陥没して真空程度を示すことができる。
【００４０】
蓋１２０を閉じる時、パッキング１２５は上方に圧縮されながら容器本体１１０と蓋１２０により囲まれた内部空間が減りながら内部空気が排出され、この状態で蓋１２０に加えていた外力が除去されればパッキング１２５の弾性力により蓋１２０が上に持ち上げられるので、容器本体１１０の内部に低い真空状態の負圧がかかるようになる。この場合、パッキング１２５の弾性力のみにより負圧がかかるので、容器本体１１０の内部には図８に示すように弱い真空がかかる。
【００４１】
真空容器１１０の内部の真空度を高めようとする場合には、図９に示すように、蓋１２０の上にポンプを装着してチェックバルブ１３０を通じて容器本体１１０の内部の空気を強制に排出する。
【００４２】
本発明に従うチェックバルブ１３０の真空表示部１３５は、上記のようにポンプを用いて容器本体１１０の内部にかかる負圧を大きくして下方に陥没する時、真空表示部１３５と対向する蓋１２０の表面と真空表示部１３５の下方の通孔１３３の内壁面１３４に完全に密着できるように真空表示部１３５の断面の長さを十分に大きくすることがよいが、これに対しては図９及び図１０を参照して詳しく後述する。
【００４３】
バルブ胴体部１３１の底面中央部には下方に突出した固定部１３６が形成されている。この固定部１３６は蓋１２０に形成された通孔形態のバルブ結合部１２２に結合されてバルブ胴体部１３１を蓋１２０の上面に固定させるためのものであって、バルブ結合部１２２に容易に結合できるようにし、結合された後には外れないように下端は円錐形状となっており、円錐形状の上に係止段を設置している。固定部１３６を通じて蓋１２０に装着されたチェックバルブ１３０は、バルブ胴体部１３１の縁部が蓋１２０の上面を押圧する状態を維持している。また説明すると、チェックバルブ１３０が固定部１３６を通じて蓋１２０に装着された状態でバルブ胴体部１３１の縁部は蓋１２０の表面により上方に押圧されている。これによって初期の密閉効果をある程度維持することができる。図７の状態で、蓋１２０の底面に係止される固定部１３６の係止段の設置高さを相対的に高めれば、バルブ胴体部１３１の縁部は蓋１２０の表面に強く密着し、相対的に低めればバルブ胴体部１３１の縁部が蓋１２０の表面に密着する強度は減る。
【００４４】
バルブ胴体部１３１の縁部が蓋１２０の表面に弱く密着した状態では、手で蓋１２０を強く押さえても、容器本体１１０の内部から外部に空気が抜けながら相対的に弱くて長い空気が漏れ出す音（以下、“空気排出音”と称する）がする。
【００４５】
しかしながら、バルブ胴体部１３１の縁部が蓋１２０の表面に強く密着した状態では、手で蓋１２０を強く押さえれば、容器本体１１０の内部から外部に空気が抜けながら強くて短い音（以下、“空気排出効果音”と称する）を発生する。この場合、ユーザは容器本体１１０の内部から外部に空気が抜けることをよりはっきりと感じることができる。空気排出効果音をより大きく出そうとする場合には、縁部突起１３９の大きさを伸ばすことが助けになる。
【００４６】
バルブ胴体部１３１の上面には取手１３７が設置されている。この取手１３７は、バルブ胴体部１３１の一側縁部から上方に突出するように設置されており、人が手で握ってバルブ胴体部１３１の一側縁部を持ち上げて真空状態を容易に解除できるようにするためのものである。この実施形態における取手１３７は四角の柱形状をしている。このような取手１３７の上端には外側に突出した突出段１３８が形成されている。これは、人が手でバルブ胴体部１３１の一側縁部を容易に持ち上げることができるようにするためのものである。
【００４７】
または、取手１３７の外側の側面はバルブ胴体部１３１の縁部から上方に行くほど内側に傾斜して形成されている。これは、取手１３７を少し持ち上げるだけでも真空が解除できるようにし、延いては、取手１３７の上側部の側面空間を広くして人の指が収容できる充分の空間を提供する役割をする。
【００４８】
本発明に従うチェックバルブ１３０は、バルブ胴体部１３１の縁部の上面に沿って連続して形成されてリング形態をしており、上方に突出した縁部突起１３９を備える。この縁部突起１３９は、バルブ胴体部１３１の縁部を厚くリング形態になるようにして真空容器１００の内部の真空度が低い時や高い時やリング形態が潰れないようにして真空状態をより長く維持できるようにするためのものである。縁部突起１３９がない場合、真空度の変化によって厚さの薄いバルブ胴体部１３１の縁部で前後または左右対称がなされない可能性が多く、これは真空度維持に不利な結果をもたらす。これもまた本発明の大きい特徴の１つである。
【００４９】
図９は真空容器の蓋にポンプを装着して空気を強制的に排出する状態を示す断面図であり、図１０は本発明に従うチェックバルブの真空表示部が下方に完全に陥没した状態を説明するための真空容器の断面図であり、図１１は真空表示部がバルブ胴体の上面に設置された状態で下方に陥没した状態の例を示すための断面図である。
【００５０】
図７または図８の状態で、ポンプ１５０を用いて真空容器１００の内部の空気を外部に排出しようとする場合、図９に示すように、蓋１２０にポンプ１５０を装着して真空容器１００の内部の空気を外部に排出して容器本体１１０の内部に図１０に示すように、強い真空がかかるようにすることができる。蓋１２０の上にポンプ１５０を装着した状態で、図９に示すように、ポンプ１５０の上端部を下方に押さえれば、チェックバルブ１３０の縁部がかすかに浮き上がりながら容器本体１１０の内部の空気が通気孔１２３を通じて蓋１２０の外側に排出され、ポンプ１５０と蓋１２０との間の空気は矢印で表示された経路に沿ってポンプ１５０の外部に排出される。このような過程を繰り返して真空容器１００の内部に一定大きさ以上に負圧がかかれば、図１０に示すように、真空表示部１３５は下方に完全に陥没して真空表示部１３５の下方の通孔１３３の内壁面１３４及び蓋１２０の表面に密着する。また、真空容器１００の内部にかかる負圧が増加するほど、蓋１２０は徐々に下降して第１係止突起１２７は容器本体１１０の段部から徐々に離れて、蓋１２０の表面に密着するチェックバルブ胴体部１３１の接触面積は増加してチェックバルブ１３０の密閉力も向上する。これは、図７から図１０を対比して見ると知ることができる。
【００５１】
図１０の状態で、真空表示部１３５は真空容器１００の内部に一層大きい負圧がかかっても下方にさらに引っ張られる力を受けない。このようになるためには、図７に断面として表示されたような真空表示部１３５の断面の長さが真空表示部１３５の断面と対向する真空表示部１３５の下方の表面の表面長さ以上に形成されていなければならない。ここで、表面長さは真空表示部１３５の断面と対向する蓋１２０の表面の長さ、真空表示部１３５の断面の一端から一端下方の蓋１２０の表面までの長さ、及び真空表示部１３５の断面の他端から他端下方の蓋１２０の表面までの長さを合せた長さである。
【００５２】
例えば、図１１に示すように、真空表示部１３５がバルブ胴体部１３１の上面に一体に連結されて設置された状態で真空表示部１３５が内部の負圧により下方に陥没する場合、真空表示部１３５はバルブ胴体部１３１の上端を下方に引くので、真空表示部１３５の外側のバルブ胴体部１３１の縁部は相対的に大きい力で上に浮き上がるようになって密閉力が低下する。
【００５３】
図１１のように、真空表示部１３５がバルブ胴体部１３１の上面に一体に連結されて設置された状態で、真空表示部１３５がその下側表面に密着できるように真空表示部１３５の断面長さを大きくするためには真空表示部１３５の曲率半径を減らしながら上方に多く突出するようにしなければならないが、このようにする場合、真空表示部１３５が陥没し難くなって、低い状態では真空表示部１３５の機能を行うことが困難である。
【００５４】
即ち、本発明に従う真空表示部１３５は、図４から図８に示すように、バルブ胴体部１３１の上面下方の通孔１３３の内壁面１３４に一体に連結されて設置することがよく、これに加えて、真空表示部１３５の断面の長さがその下方の表面を連結する表面長さ以上になるようにすることがよりよい。
【００５５】
真空状態を解除しようとする場合には、取手１３７の突出段１３８を上に持ち上げれば、真空容器１００の内部に空気が流入して真空状態が解除される。
【産業上の利用可能性】
【００５６】
本発明は、食物など、真空状態で保管する必要がある物品を保管するための真空容器を作ることに用いられる可能性がある。
【図１】
2016513050.tif 000003
【図２】
2016513050.tif 000004
【図３】
2016513050.tif 000005
【図４】
2016513050.tif 000006
【図５】
2016513050.tif 000007
【図６】
2016513050.tif 000008
【図７】
2016513050.tif 000009
【図８】
2016513050.tif 000010
【図９】
2016513050.tif 000011
【図１０】
2016513050.tif 000012
【図１１】
2016513050.tif 000013
【国際調査報告】
2016513050.tif 000014
2016513050.tif 000015
2016513050.tif 000016
2016513050.tif 000017